(57)【要約】      （修正有）【課題】簡単なロック機構を用いて、より強固にロックすることが可能なヒンジキャップを提供する。【解決手段】排出孔を有するキャップ本体２、キャップ本体とヒンジで係合された蓋３、および蓋をキャップ本体にロックするロック機構を有するヒンジキャップ１であって、ロック機構は、蓋の側面に上下にスライド可能に係合されたスライド部５を用いたものであり、スライド部の背面の上方には、スライド部が上方にスライドされた時に、蓋の側面に設けられた凸部と嵌合される第１の凹部が設けられ、さらに、スライド部の背面には、スライド部が下方にスライドされた時に蓋より下方に突出してキャップ本体の側面と接する部分に、本体の側面に設けられた凸部と嵌合される第２の凹部が設けられている。【選択図】図１
2011088644.tif 000002
【特許請求の範囲】
【請求項１】
排出孔を有するキャップ本体、キャップ本体とヒンジで係合された蓋、および前記蓋を前記キャップ本体にロックするロック機構を有するヒンジキャップであって、
前記ロック機構は、前記蓋の側面に上下にスライド可能に係合されたスライド部を用いたものであり、前記スライド部の背面の上方には、前記スライド部が上方にスライドされた時に、前記蓋の側面に設けられた凸部と嵌合される第１の凹部が設けられ、さらに、前記スライド部の背面には、前記スライド部が下方にスライドされた時に前記蓋より下方に突出して前記キャップ本体の側面と接する部分に、前記本体の側面に設けられた凸部と嵌合される第２の凹部が設けられたことを特徴とするヒンジキャップ。
【請求項２】
前記スライド部が、前記蓋の側面および前記キャップ本体の側面の内側に設けられたガイド部内をスライドすることを特徴とする請求項１に記載のヒンジキャップ。
【請求項３】
排出孔を有するキャップ本体、キャップ本体にヒンジで係合された蓋、および前記蓋を前記キャップ本体にロックするロック機構を有するヒンジキャップであって、
前記ロック機構は、前記キャップ本体の側面に上下にスライド可能に係合されたスライド部を用いたものであり、前記スライド部の背面の下方には、前記スライド部が下方にスライドされた時に、前記キャップ本体の側面に設けられた凸部と嵌合される第２の凹部が設けられ、さらに、前記スライド部の背面には、前記スライド部が上方にスライドされた時に前記キャップ本体より上方に突出して前記蓋の側面と接する部分に、前記蓋の側面に設けられた凸部と嵌合される第１の凹部が設けられたことを特徴とするヒンジキャップ。
【請求項４】
前記スライド部が、前記蓋の側面および前記キャップ本体の側面の内側に設けられたガイド部内をスライドすることを特徴とする請求項３に記載のヒンジキャップ。
【発明の詳細な説明】
【技術分野】
【０００１】
本発明は、ヒンジキャップに関し、特にロック機構を有するヒンジキャップに関する。
【背景技術】
【０００２】
シャンプーやリンス等の液体あるいは洗顔料等のクリーム状のものを充填する容器のキャップとして、キャップ本体とヒンジ結合された蓋を備えたヒンジキャップが多数用いられており、使用者はヒンジキャップの蓋を開けて、容器内の液体等を排出して使用する。前記ヒンジキャップは、蓋によってキャップ本体に設けられた液体を排出する孔を塞ぎ、蓋を開けるとキャップ本体に設けられた孔が露出し、容器を押したり、容器を逆さまにすることで容器内の液体を排出する構造となっている。
【０００３】
蓋の開け閉めを繰り返す容器の場合、蓋とキャップ本体に設けられた凹凸等を用いて互いに係合させるだけの簡単な構造を用いているものが多く、このような構造ではキャップに何らかの力、あるいは衝撃が加わった時に、簡単に蓋が外れて容器内の液体等が排出されるという問題があった。このような問題を解消するために、ヒンジキャップに様々なロック機構を用いたものが見られるようになっている（特許文献１を参照）。
【先行技術文献】
【特許文献】
【０００４】
【特許文献１】特開２００３−６３５５３号公報
【発明の概要】
【発明が解決しようとする課題】
【０００５】
しかしながら、従来のロック機構はその構造が複雑なものは蓋の開閉が簡単にできないものがあり、また、ロック機構が簡単では使用者が意図しない時に蓋が開くという問題があった。
【０００６】
そこで、本発明は簡単なロック機構を用いて、より強固にロックすることが可能なヒンジキャップを提供することを目的とする。
【課題を解決するための手段】
【０００７】
本発明のヒンジキャップは、排出孔を有するキャップ本体、キャップ本体とヒンジで係合された蓋、および前記蓋を前記キャップ本体にロックするロック機構を有するヒンジキャップであって、前記ロック機構は、前記蓋の側面に上下にスライド可能に係合されたスライド部を用いたものであり、前記スライド部の背面の上方には、前記スライド部が上方にスライドされた時に、前記蓋の側面に設けられた凸部と嵌合される第１の凹部が設けられ、さらに、前記スライド部の背面には、前記スライド部が下方にスライドされた時に前記蓋より下方に突出して前記キャップ本体の側面と接する部分に、前記本体の側面に設けられた凸部と嵌合される第２の凹部が設けられたことを特徴とする。
【０００８】
あるいは、本発明のヒンジキャップは、排出孔を有するキャップ本体、キャップ本体にヒンジで係合された蓋、および前記蓋を前記キャップ本体にロックするロック機構を有するヒンジキャップであって、前記ロック機構は、前記キャップ本体の側面に上下にスライド可能に係合されたスライド部を用いたものであり、前記スライド部の背面の下方には、前記スライド部が下方にスライドされた時に、前記キャップ本体の側面に設けられた凸部と嵌合される第２の凹部が設けられ、さらに、前記スライド部の背面には、前記スライド部が上方にスライドされた時に前記キャップ本体より上方に突出して前記蓋の側面と接する部分に、前記蓋の側面に設けられた凸部と嵌合される第１の凹部が設けられたことを特徴とする。
【０００９】
また、前記スライド部が、前記蓋の側面および前記キャップ本体の側面の内側に設けられたガイド部内をスライドする構造とすることもできる。
【発明の効果】
【００１０】
本発明のヒンジキャップは、本発明のヒンジキャップは、排出孔を有するキャップ本体、キャップ本体とヒンジで係合された蓋、および前記蓋を前記キャップ本体にロックするロック機構を有するヒンジキャップであって、前記ロック機構は、前記蓋の側面に上下にスライド可能に係合されたスライド部を用いたものであり、前記スライド部の背面の上方には、前記スライド部が上方にスライドされた時に、前記蓋の側面に設けられた凸部と嵌合される第１の凹部が設けられ、さらに、前記スライド部の背面には、前記スライド部が下方にスライドされた時に前記蓋より下方に突出して前記キャップ本体の側面と接する部分に、前記本体の側面に設けられた凸部と嵌合される第２の凹部が設けられたことにより、スライド部をスライドさせて、簡単に蓋のロックおよびロックの解除を行うことができ、ロック状態を強固に保つことができる。
【００１１】
あるいは、本発明のヒンジキャップは、排出孔を有するキャップ本体、キャップ本体にヒンジで係合された蓋、および前記蓋を前記キャップ本体にロックするロック機構を有するヒンジキャップであって、前記ロック機構は、前記キャップ本体の側面に上下にスライド可能に係合されたスライド部を用いたものであり、前記スライド部の背面の下方には、前記スライド部が下方にスライドされた時に、前記キャップ本体の側面に設けられた凸部と嵌合される第２の凹部が設けられ、さらに、前記スライド部の背面には、前記スライド部が上方にスライドされた時に前記キャップ本体より上方に突出して前記蓋の側面と接する部分に、前記蓋の側面に設けられた凸部と嵌合される第１の凹部が設けられたことでも、簡単に蓋のロックおよびロックの解除を行うことができる。
【００１２】
また、前記スライド部が、前記蓋の側面および前記キャップ本体の側面の内側に設けられたガイド部内をスライドすることにより、ヒンジキャップの側面からロック機構が突出しないので、外部からの力がスライド部に加わってロックが解除されるのを防ぐことができより強固にロックすることが可能となり、またヒンジキャップの側面に突出した部分を設けないでよいので、外観をよりスマートに仕上げることができる。
【図面の簡単な説明】
【００１３】
【図１】第1の実施形態のヒンジキャップの斜視図であり、ロックした状態を示す。
【図２】第1の実施形態のヒンジキャップの斜視図であり、ロックを解除した状態を示す。
【図３】第1の実施形態のヒンジキャップの斜視図であり、蓋を開いた状態を示す。
【図４】第１の実施形態のヒンジキャップのロック機構の動きを示す概略断面図である。
【図５】第２の実施形態のヒンジキャップの斜視図であり、ロックした状態を示す。
【図６】第２の実施形態のヒンジキャップの斜視図であり、ロックを解除した状態を示す。
【図７】第２の実施形態のヒンジキャップの斜視図であり、蓋を開いた状態を示す。
【図８】第２の実施形態のヒンジキャップのロック機構の動きを示す概略断面図である。
【図９】ヒンジキャップを容器に取り付けた状態を示す斜視図である。
【発明を実施するための形態】
【００１４】
本発明を、図を用いて以下に詳細に説明する。図１〜３に示すのが本発明の第１の実施形態のヒンジキャップ１の斜視図であり、図４がヒンジキャップ１のロック機構の動きを表した概略断面図であり、図９に示すのがヒンジキャップを取り付けた容器の斜視図である。
【００１５】
本発明のヒンジキャップ１は、図９に示すように、シャンプーやリンスといった液体を収容する容器１８の開口に取り付けられ、容器１８を使用する際には容器１８内に収容された液体を排出し、そして、使い終わったら容器１８を密閉するためのものであり、図１〜３に示すように、容器１８の開口に取り付けられる楕円筒形状のキャップ本体２と、前記キャップ本体２にヒンジ４で係合された同じく楕円筒形状の蓋３からなり、前記蓋３を前記キャップ本体２にロックするロック機構を有する。
【００１６】
前記キャップ本体２には、容器内の液体を排出する排出孔６が設けられ、前記蓋３には、前記排出孔６を塞ぐ閉塞部７が設けられており、前記蓋３を閉じてキャップ本体に係合させた時に、前記閉塞部７が前記排出孔６を塞いで容器を密閉する。また、前記キャップ本体２には容器の開口部と取り外し可能に係合する係合部１７を設けることで、容器内の液体を簡単に補充できるようにすることもできる。係合部としては、図４に示すようなネジ係合等様々なもの用いることができる。また、前記キャップ本体２および前記蓋３の形状は特に楕円筒形状に限定するものではなく、円筒形状、あるいは角柱等様々な形状を用いることができる。
【００１７】
前記ロック機構は、前記蓋３の側面に上下にスライド可能に係合されたスライド部５を用いたものであり、前記スライド部５は、前記キャップ本体２および前記蓋３の側面の内側に設けられたガイド部８，９内を上下にスライドする。前記スライド部５の両側面には突出部１０が設けられ、前記突出部１０が前記ガイド部８，９の両側面の溝部１１，１２にスライド可能に嵌め込まれることで、前記スライド部５は前記ガイド部８，９内を上下にスライドする。
【００１８】
さらに、前記スライド部５は下方にスライドした時に前記蓋３から脱落しないように前記蓋３のガイド部９に保持されており、前記スライド部５が最も上方にスライドした時に、前記スライド部５は前記蓋３のガイド部９に全て収容される大きさとなっている。前記スライド部５が前記ガイド部９に収容された状態から下方へとスライドさせた時に、前記スライド部５は前記蓋３から下方へと突出して前記キャップ本体２のガイド部８内に入りさらに下方へとスライドする。
【００１９】
前記スライド部５の背面には、上方に同じ高さで並んで２個の第１の凹部１３、下方に同じ高さで並んで２個の第２の凹部１４が設けられており、前記キャップ本体２の側面の前記ガイド部８内には、前記第２の凹部１４と嵌合する２個の凸部１５が設けられ、前記蓋３の側面の前記ガイド部９内には、前記第１の凹部１３と嵌合する２個の凸部１６が設けられている。本実施形態では、前記凹部１３，１４および前記凸部１５，１６は円筒形としている。しかし、前記凹部１３，１４および前記凸部１５，１６の形状および個数は特に限定するものではなく、横長の長方形のものをそれぞれ１個設けてもよく、また、小さな立方体を多数設けてもよく、様々なものを用いることができる。
【００２０】
前記スライド部５の表面は、ロックした時に前記キャップ本体２および前記蓋３の表面よりも１段奥に収まるようにすることで、ヒンジキャップ１の表面には突出することがなく、スライド部５に物が引っ掛かって勝手にスライドするのを防止する効果があり、さらにヒンジキャップ１の側面をフラットにすることでデザイン性を高める効果もある。スライド部５の表面には三角形を形成してロックを解除させる際にスライド部５をスライドさせる方向を明示している。さらに、スライド部５の表面に凹凸を設けて前記スライド部５をスライドさせる際に指が滑るのを防止し、前記スライド部５を動かしやすくすることもできる
【００２１】
前記蓋３の開閉を行うためには、前記第１の凹部１３と前記凸部１６の嵌合、および、前記第２の凹部１４と前記凸部１５との嵌合を解除する必要があるので、前記スライド部５は前記ガイド部８，９内を上下にスライドさせるだけでなく、前後にスライドさせなければならない。そのために、前記スライド部５が前記ガイド部８，９内で前後に移動できるように、前記スライド部５の両側面の突出部１０は、前ガイド部８，９の両側面の溝部１１，１２内で上下だけでなく前後に移動できる大きさに形成している。
【００２２】
また、前記蓋３が前記キャップ本体２にロックされた状態では、前記蓋３の閉塞部７が前記キャップ本体２の排出孔６を塞いで、ヒンジキャップ１は閉じられた状態となるので、ヒンジキャップ１が取り付けられた容器は密閉されて、蓋３がロックされた状態となり、前記蓋３はロック機構を解除しなければ開かない状態となる。
【００２３】
ロック機構についてさらに詳しく説明する。図１および図４（ａ）に示すのが、ヒンジキャップ１がロック機構を用いてロックされた状態である。前記蓋３と前記キャップ本体２が係合し、前記蓋３の閉塞部７が前記キャップ本体２の排出孔６を塞いでいる。さらに、前記スライド部５は前記ガイド部９内を下方へとスライドさせられて前記蓋３から下方へと突出し、前記スライド部５の突出した部分は前記キャプ本体２のガイド部８に挿入されて最も下方へとスライドした状態となっている。
【００２４】
そして、前記スライド部５を前記ガイド部８，９内で奥へと押し込まれて、前記スライド部５の背面の第２の凹部１４が前記キャップ本体２の凸部１５と嵌合させられている。この時、前記スライド部５の上端は前記蓋３に設けられた凸部１６よりも下方に位置している。このようにして、前記スライド部５を前記キャップ本体２と係合させることで、前記蓋３は前記ロック機構によって前記キャップ本体２にロックされた状態となる。
【００２５】
ロック状態から前記蓋３を開けるには、ロック機構によってロックを解除しなければならない。そのために、図４（ｂ）に示すように、前記スライド部５を前記ガイド部８，９内で手前に、そして上方へと移動させて前記スライド部５の背面の第２の凹部１４と前記キャップ本体２の凸部１５との嵌合を解除する。そして、前記スライド部５を前記ガイド部８，９内で手前に移動させた状態で、前記スライド部５を上方へとスライドさせて、図４（ｃ）に示すように、前記キャップ本体２のガイド部８から離れて、前記蓋３のスライド部９に収まるようにする。
【００２６】
そして、前記スライド部５が最も上方に移動したら、前記スライド部５を奥へと押し込み、前記スライド部５の背面の第１の凹部１３を前記蓋３の凸部１６と嵌合させる。これにより、図２および図４（ｄ）に示すように、前記スライド部５は前記蓋３のガイド部９に収容されて、前記蓋３に固定された状態となる。この時、前記スライド部５は前記キャップ本体２とは完全に離れているので、ヒンジキャップ１のロック機構は解除され前記蓋３は自由に開閉できる状態となる。
【００２７】
このようにしてロックが解除されたら、前記蓋３をヒンジ４を用いて上方に回動させると、ヒンジキャップ１を開けることができる。するとヒンジキャプ１は、図３および図４（ｅ）に示す状態となり、キャップ本体２の排出孔６が露出され容器内に収容された液体等の収容物を排出できる。
【００２８】
再びヒンジキャップ１を閉じてロックするには、まず、前記蓋３をヒンジ４を用いて下方へと回動させて、図２および図４（ｄ）に示すように前記蓋３を前記キャップ本体２に係合させる。次に、前記スライド部５を前後にそして下方へと移動させて、前記スライド部５の第１の凹部１３と前記蓋３の凸部１６との嵌合を解除する。そして、図４（ｃ）に示すように、前記スライド部５を前記ガイド部９内で手前に移動させた状態で、前記スライド部５を前記ガイド部９内を下方へとスライドさせて突出させる。すると、図４（ｂ）に示すように、前記スライド部５の下方は前記キャップ本体２のガイド部８内へとスライドする。
【００２９】
前記スライド部５を最も下方にスライドさせて奥へと押し込み、前記スライド部５の背面の第２の凹部１４を前記キャップ本体２の凸部１５と嵌合させる。これにより、図１および図４（ａ）に示すように、前記蓋３は再び前記キャップ本体２に固定されてロックされた状態となる。
【００３０】
上述のように、本発明のヒンジキャップ１は、ロック機構としてスライド部５を用いて、スライド部５を上下にスライドさせることで簡単にロックおよびロックの解除を行うことができる。また、前記スライド部５をヒンジキャップ１の側面よりも内側に収めることで、ヒンジキャップ１の表面から余分な凸部を排除し、さらに、スライド部５に意図せずに力が加えられるのを防止することもできる。
【００３１】
次に、第２の実施形態のヒンジキャップ１’について図を用いて説明する。本実施形態のヒンジキャップ１’は、第１の実施形態のヒンジキャップ１の蓋３に設けていたスライド部５を、キャップ本体に設けたものである。
【００３２】
図５〜８に示すように、容器の開口に取り付けられるキャップ本体２’と、前記キャップ本体２’にヒンジ４で係合された蓋３’からなり、前記蓋３’を前記キャップ本体２’にロックするロック機構を有し、容器に固定するための係合部１７としてリブをキャップ本体２’に設けている。
【００３３】
前記キャップ本体２’には、容器内の液体を排出する排出孔６が設けられ、前記蓋３’には、前記排出孔６を塞ぐ閉塞部７が設けられている。前記ロック機構は、前記キャップ本体２’の側面に上下にスライド可能に係合されたスライド部５を用いたものであり、前記スライド部５は、前記キャップ本体２および前記蓋３の側面の内側に設けられたガイド部８，９内を上下にスライドする。前記スライド部５の両側面には突出部１０が設けられ、前記突出部１０が前記ガイド部８’，９’の両側面の溝部１１，１２にスライド可能に嵌め込まれることで、前記スライド部５は前記ガイド部８’，９’内を上下にスライドする。
【００３４】
さらに、前記スライド部５は上方にスライドした時に前記キャップ本体２’から脱落しないように前記キャプ本体２’のガイド部８’に保持されており、前記スライド部５が最も下方にスライドした時に、前記スライド部５は前記キャップ本体２’のガイド部８’に全て収容される大きさとなっており、その位置から上方へとスライドした時には、前記スライド部５は前記キャップ本体２’から上方へと突出して前記蓋３’のガイド部９’内へとスライドする。
【００３５】
前記スライド部５の背面には、上方に２個の第１の凹部１３、下方に２個の第２の凹部１４が設けられており、前記キャップ本体２’の側面の前記ガイド部８’内には、前記第２の凹部１４と嵌合する２個の凸部１５が設けられ、前記蓋３’の側面の前記ガイド部９’内には、前記第１の凹部１３と嵌合する２個の凸部１６が設けられている。前記スライド部５の表面は、前記キャップ本体２および前記蓋３の表面よりも１段奥に収まるように形成されている。
【００３６】
前記蓋３’の開閉を行うために、前記スライド部５が前記ガイド部８’，９’内で動けるように、前記スライド部５の両側面の突出部１０は、前ガイド部８’，９’の両側面の溝部１１，１２内で上下だけでなく前後に移動できる大きさに形成している。
【００３７】
また、前記蓋３’が前記キャップ本体２’にロックされた状態では、前記蓋３’の閉塞部７が前記キャップ本体２’の排出孔６を塞いで、ヒンジキャップ１は閉じられているので、ヒンジキャップ１が取り付けられた容器は密閉されて、前記蓋３はロック機構を解除しなければ開かない状態となる。
【００３８】
ロック機構についてさらに詳しく説明する。図５および図８（ａ）に示すのが、ヒンジキャップ１がロックされた状態である。前記蓋３’と前記キャップ本体２’が係合し、前記蓋３’の閉塞部７が前記キャップ本体２’の排出孔６を塞いでいる。さらに、前記スライド部５は前記ガイド部８’内を上方へとスライドさせられて前記キャップ本体２’から上方へと突出し、前記キャップ本体２’からはこれ以上上方へとスライドして脱落しないように保持され、上方へと突出した部分は前記蓋３’のガイド部９’に挿入されて最も上方へとスライドした状態となっている。
【００３９】
この時、前記スライド部５を前記ガイド部８’，９’内で奥へと押し込まれ、前記スライド部５の背面の第１の凹部１３が前記蓋３’の凸部１６と嵌合させられている。この時、前記スライド部５の下端は前記キャップ本体２’に設けられた凸部１５よりも上方に位置している。このように前記スライド部５を前記蓋３’と係合させることで、前記蓋３’は前記キャップ本体２’にロックされた状態となる。
【００４０】
ロック状態から前記蓋３’を開けるには、ロック機構を解除しなければならない。そのために、前記スライド部５を前記ガイド部９’内で手前に、そして下方へと移動させて、図８（ｂ）に示すように、前記スライド部５の背面の第１の凹部１３と前記蓋３’の凸部１６との嵌合を解除する。そして、前記スライド部５を下方へとスライドさせて、図８（ｃ）に示すように、前記蓋３’のガイド部９’から抜け出させて、前記キャップ本体２’のスライド部８’に収容する。
【００４１】
そして、前記スライド部５が最も下方に移動したら、前記スライド部５を奥へと押し込み、前記スライド部５の背面の第２の凹部１４を前記キャップ本体２’の凸部１５と嵌合させる。これにより、図６および図８（ｄ）に示すように、前記スライド部５は前記キャップ本体２’のガイド部８’に収容されて、前記キャップ本体２’に固定された状態となる。この時、前記スライド部５は前記蓋３’は完全に離れているので、ヒンジキャップ１’のロック機構は解除され前記蓋３’は自由に開閉できる状態となる。
【００４２】
このようにロックが解除されたら、前記蓋３’をヒンジ４を用いて上方に回動させると、ヒンジキャップ１’を開けることができる。ヒンジキャプ１’が開くと、図７および図８（ｅ）に示す状態となり、キャップ本体２’の排出孔６が露出され容器内に収容された液体等の収容物を排出できる。
【００４３】
再びヒンジキャップ１’を閉じてロックするには、まず、前記蓋３’をヒンジ４を用いて下方へと回動させて、図６および図８（ｄ）に示すように、前記キャップ本体２’に係合させる。次に、前記スライド部５を前後にそして上方へと移動させて、図８（ｃ）に示すように、前記スライド部５の第２の凹部１４と前記キャップ本体２’の凸部１５との嵌合を解除する。そして、前記スライド部５を前記ガイド部８’内を上方へとスライドさせて突出させて、前記スライド部５の上方を前記蓋３’のガイド部９’内へとスライドさせて、図８（ｂ）の状態とする。
【００４４】
前記スライド部５を最も上方にスライドさせて奥へと押し込み、前記スライド部５の背面の第１の凹部１３を前記蓋３’の凸部１６と嵌合させる。これにより、図５および図８（ａ）に示すように、前記蓋３’は再び前記キャップ本体２’に固定されてロックされた状態となる。
【００４５】
上述のように、本実施形態では、ヒンジキャップ１’のロック機構としてキャップ本体２’にスライド可能に設けたスライド部５を上下にスライドさせることで、ヒンジキャップ１’のロックおよびロックの解除を簡単に行うことができる。また、前記スライド部５をヒンジキャップ１’の側面よりも内側に収めているのでスライド部５に意図せずに力が加えられて、蓋３’が勝手に開くのを防止することもできる。
【符号の説明】
【００４６】
１、１’  ヒンジキャップ
２、２’  キャップ本体
３、３’  蓋
４        ヒンジ
５        スライド部
６        排出孔
７        閉塞部
８、８’  ガイド部
９、９’  ガイド部
１０      突出部
１１      溝部
１２      溝部
１３      第１の凹部
１４      第２の凹部
１５      凸部
１６      凸部
１７      係合部
１８      容器
【図１】
2011088644.tif 000003
【図２】
2011088644.tif 000004
【図３】
2011088644.tif 000005
【図４】
2011088644.tif 000006
【図５】
2011088644.tif 000007
【図６】
2011088644.tif 000008
【図７】
2011088644.tif 000009
【図８】
2011088644.tif 000010
【図９】
2011088644.tif 000011